(57)【要約】ライニング（１）を部屋の内面（１０）に取り付ける方法であって、  −前記内面（１０）に適用される第１のライニングシート（１）を提供するステップと、  −複数の接着剤ドット（２）を前記内面（１０）または前記第１のライニングシート（１）に塗布するステップと、  −前記第１のライニングシート（１）が前記接着剤ドットを介して前記内面（１０）に固定されるように、前記第１のライニングシート（１）を前記内面（１０）に取り付けるステップと、を含む方法。
2021533284.tif 000002
【特許請求の範囲】
【請求項１】
ライニング（１）を部屋の内面（１０）に取り付ける方法であって、
−前記内面（１０）に適用される第１のライニングシート（１）を提供するステップと、
−複数の接着剤ドット（２）を前記内面（１０）または前記第１のライニングシート（１）に塗布するステップと、
−前記第１のライニングシート（１）が前記接着剤ドット（２）を介して前記内面（１０）に固定されるように、前記第１のライニングシート（１）を前記内面（１０）に取り付けるステップと、を含む方法。
【請求項２】
前記第１のライニングシート（１）を前記内面（１０）に押し付けるステップをさらに含む、請求項１に記載の方法。
【請求項３】
前記第１のライニングシート（１）を前記内面（１０）に押し付けるステップは、ローラー、こてまたはブラシで実施される、請求項２に記載の方法。
【請求項４】
前記複数の接着剤ドット（２）を塗布するステップは、前記複数の接着剤ドット（２）を含む転写シート（２１）を前記内面（１０）または前記第１のライニングシート（１）上に貼付し、前記転写シート（２１）の剥離シートを除去して、前記複数の接着剤ドットを前記内面（１０）または前記第１のライニングシート（１）に残すことを含む、請求項１〜３のいずれか一項に記載の方法。
【請求項５】
前記剥離シートを前記転写シート（２１）から除去するステップは、熱の存在下で行われる、請求項４に記載の方法。
【請求項６】
前記取り付けられた第１のライニングシート（１）の縁部分と接触するように配置された前記接着剤ドット（２）をカバーテープ（４）で覆うステップをさらに含む、請求項１〜５のいずれか一項に記載の方法。
【請求項７】
第２のライニングシート（１）を、前記第１のライニングシート（１）に隣接する前記内面（１０）に同様に取り付けるステップをさらに含む、請求項１〜６のいずれか一項に記載の方法。
【請求項８】
前記第２のライニングシート（１）は、前記第１のライニングシート（１）に隣接する前記内面（１０）に、前記シート同士が部分的に重なるように取り付けられる、請求項７に記載の方法。
【請求項９】
前記第１のライニングシート（１）と重なる前記第２のライニングシート（１）を１回の切断で同時に切断するステップをさらに含む、請求項８に記載の方法。
【請求項１０】
重なり合う前記第２のライニングシート（１）と前記第１のライニングシート（１）を切断するステップは、マーカーテープ（５）の貼付を含む、請求項９に記載の方法。
【請求項１１】
前記カバーテープ（４）を取り外し、前記第２のライニングシート（１）と前記第１のライニングシート（１）の境界部分を前記内面（１０）に押し付けるステップをさらに含む、請求項９または１０に記載の方法。
【請求項１２】
前記内面（１０）は、穴あき建築パネルで作られた音響天井である、請求項１〜１１のいずれか一項に記載の方法。
【発明の詳細な説明】
【技術分野】
【０００１】
本発明は、独立請求項による部屋の内面にライニングを取り付ける方法に関する。
【背景技術】
【０００２】
本発明は、室内構造物のための方法の技術分野に関し、特に、部屋の壁または天井を覆うためのライニングを取り付けるための方法に関する。
【０００３】
そのような方法は、例えば、音響天井にライニングを取り付ける場合に使用することができる。特に音響の天井または壁の構築において、穴あき建築パネル（すなわち穴あき石膏ボード）を適用することが知られている。そのような音響石膏ボードは、表面全体に広がってその中に形作られた複数の穿孔を有する。穿孔は視覚的に支配的であり、これは多くの用途にとって不利である。
【０００４】
音響石膏ボードに成形された穿孔を覆うための通音性ライニングを提供することは、ＷＯ  ２０１５  １７２  ７９９  Ａ１から知られている。光学的に閉じた表面を提供するために、通音性ライニングが、適用された音響石膏ボードに形作られた穴を覆うように取り付けられている。通音性ライニングは、フリース材料の第１のプライと、第１のプライと通音性ライニングが取り付けられる音響石膏ボードとの間に配置される第２のプライとを含む。
【０００５】
原則として、通音性ライニングは、取り付けた音響石膏ボードに壁紙と同じ方法で取り付けられる。壁紙は、取り付ける前に壁紙を所定の長さに切断することにより、壁または天井にストリップで取り付けられる。
【０００６】
従来の壁紙の取り付け方法とは異なり、このような通音性ライニングは、液体接着剤を使用して取り付けることはできない。これは、液体接着剤が通音性ライニングの表面を閉じ、空気の浸透を防ぐためである。この方法で取り付けられた通音性ライニングのもう１つの問題は、濡れた接着剤が乾燥後に影の領域を引き起こすことである。影の領域は、隣接する領域とは少し異なる色を持っているため、人間の目で簡単に認識できる。
【発明の概要】
【発明が解決しようとする課題】
【０００７】
したがって、本発明の目的は、先行技術から知られている欠点を克服または少なくとも軽減する、室内表面の少なくとも一部を覆う室内表面のライニングを取り付ける方法を提供することである。特にそれは、液体接着剤を必要とせずに壁または天井にライニングを取り付けるための方法である。
【課題を解決するための手段】
【０００８】
この問題は、独立請求項による、部屋の内面、すなわち壁または天井を覆うためのライニングを取り付ける方法によって解決される。好ましい技術的態様は、それぞれの従属請求項の主題を形成する。
【０００９】
本発明は、部屋の内面にライニングを取り付ける方法を含む。この方法には次のステップが含まれる。
−内面に適用／取り付けられる第１のライニングシートを提供する、（およびその後）
−複数の接着剤ドットを内面または第１のライニングシートに塗布する、および（その後）
−第１のライニングシートが接着剤ドットを介して内面に固定されるように、第１のライニングシートを内面に取り付ける。
【００１０】
複数の接着剤ドットを内面またはライニングシートに塗布することにより、液体接着剤の使用に関連する欠点が克服される。好ましくは、接着剤ドットは、感圧接着剤（すなわち、ホットメルト感圧接着剤）および／または温度活性化可能な接着剤である。接着剤ドットは、好ましくは、０．１〜３．０ｍｍのサイズ範囲を有する。それらは、例えば３〜１００ｄｐｉ（インチあたりドット数）の規則的なパターンで配置できる。接着剤ドットは、好ましくは、１０〜１５０ｇ／ｍ2の接着剤ベース重量を有する。第１のライニングシートが接着剤ドットを介して内面に固定されるように、第１のライニングシートを内面に取り付けることで、影の領域が生じなくなる。複数の接着剤ドットを内面に塗布する代替案は、接着剤ドットがライニングと穴あき建築パネルの間の接触領域にのみ塗布され、ライニング表面全体を覆わないため、穴あき建築パネルの場合に特に有利である。
【００１１】
好ましい技術的態様によれば、本方法は、第１のライニングシートを内面に押し付けるステップをさらに含む。特に感圧接着剤の接着剤ドットの場合、表面とライニングとの間の接着の強さは、圧力をかけることによって高めることができる。
【００１２】
第１のライニングシートを内面に押し付けるステップは、ローラー、こてまたはブラシで実施されることが特に好ましい。こては、ライニングの取り付け中に通常すでに存在し、高圧を加えることを可能にするツールである。ブラシにより、非常に均一な方法で圧力をかけることができる。ローラーにより、柔らかい外面で圧力をかけることができる。
【００１３】
別の有利な態様は、複数の接着剤ドットを有する転写シートを内面または第１のライニングシート上に貼付し、転写シートの一部である剥離シートを除去して、複数の接着剤ドットを内面または第１のライニングシートに残すことを含む、複数の接着剤ドットを塗布するステップに関する。転写シートにより、接着剤ドットを剥離シートに「すぐに適用できる」ように保存できるため、接着剤ドットはライニングを取り付ける直前に塗布できる。好ましくは、剥離シートは、シリコーン紙またはシリコーンホイル製である。しかしながら、剥離シートは、内面またはライニングシートに適用されたときに接着剤ドットを剥離するのに適した任意の材料で作ることができる。
【００１４】
好ましくは、剥離シートを転写シートから除去するステップは、熱の存在下で行われる。転写シートを内面またはライニングシートに適用した後、転写シートが適用された表面から剥離シートが剥がされ、このとき接着剤ドットは表面に付着したままである。熱は、ドライヤー、すなわちヘアドライヤーまたは赤外線ヒーターを使用して加えることができる。
【００１５】
この方法は、取り付けられた第１のライニングシートの縁部分と接触するように配置された接着剤ドットをカバーテープで覆うステップをさらに含むことが特に好ましい。カバーテープは、接着剤ドットが内面とライニングに同時に付着するのを防ぐ。これにより、ライニングを部分的に表面に取り付けたまま、ライニングを適切なサイズに切断できる。残りのカバーテープは切断後に取り除かれ、第２および第１のライニングシートの縁が最終的に内面に接着される。
【００１６】
別の特に好ましい態様によれば、この方法は、第２のライニングシートを、第１のライニングシートに隣接する内面に同様に取り付けるステップを含む。
【００１７】
有利には、第２のライニングシートは、第１のライニングシートに隣接する内面に、シート同士が部分的に重なるように取り付けられる。重なりは、好ましくは、第１および第２のライニングシートのそれぞれの縁部分が平行に配置されるような方法である。それぞれの縁部分の最小重なり距離は０．５ｃｍである。
【００１８】
この方法は、第１のライニングシートと重なる第２のライニングシートを１回の切断で同時に切断するステップをさらに含むことが好ましい。例えば、カッター装置を使用することができる。重なり合った部分は一緒に押され、両方のシートが同時に、また重なり合っている間に切断される。つまり、１回の切断で同時に切断される。
【００１９】
技術的に好ましい態様では、重なり合う第２のライニングシートと第１のライニングシートを切断するステップは、マーカーテープの貼付を含む。マーカーテープは、切断が実行されるラインに沿ってマーキングすることを可能にする。マーカーテープは、例えば、０．５ｃｍから５ｃｍの範囲の幅を有することができる。
【００２０】
特に好ましくは、第１および第２のライニングシートの「二重」切断の後、カバーテープを取り外し、第２のライニングシートと第１のライニングシートの境界部分を内面に押し付けるステップが実行される。相補的に切断された縁により、ほとんど見えない境界部分が実現される。
【００２１】
別の有利な態様によれば、既に取り付けられているライニングシートに隣接して、さらなるライニングシートを対応して取り付けることができる。
【００２２】
内面は、穴あき建築パネルで作られた音響天井であることがさらに好ましい。音響天井の場合、第１のライニングシートと重なる第２のライニングシートを１回の切断で同時に切断するステップは、隣接する穿孔に接する天井パネルのブリッジ部分に沿って実行されることが好ましい。
【図面の簡単な説明】
【００２３】
【図１ａ】本発明の方法によるライニングが取り付けられている天井の一部を下から見た図である。
【図１ｂ】本発明の方法によるライニングが取り付けられている天井の一部を下から見た図である。
【図１ｃ】本発明の方法によるライニングが取り付けられている天井の一部を下から見た図である。
【図１ｄ】本発明の方法によるライニングが取り付けられている天井の一部を下から見た図である。
【図１ｅ】本発明の方法によるライニングが取り付けられている天井の一部を下から見た図である。
【図１ｆ】本発明の方法によるライニングが取り付けられている天井の一部を下から見た図である。
【図１ｇ】本発明の方法によるライニングが取り付けられている天井の一部を下から見た図である。
【図１ｈ】本発明の方法によるライニングが取り付けられている天井の一部を下から見た図である。
【図２】複数のライニングシートが取り付けられた部屋の天井である。
【発明を実施するための形態】
【００２４】
以下に、図面を参照して本発明についてより詳細に説明する。図面全体を通して、同様の参照番号は同様の特徴を示す。
【００２５】
図１ａから図１ｈにおいて、部屋の内面１０にライニングを取り付ける方法は、部屋の天井面１０の一部にライニングを取り付けることによって例示される。
【００２６】
図１ａでは、複数の接着剤ドット２が内面１０に塗布されている。複数の接着剤ドット２を塗布するステップは、複数の接着剤ドット２を含む転写シート２１を内面１０上に貼付し、転写シート２１の剥離シートを除去して、複数の接着剤ドットを内面１０に残すことを含む。あるいは、接着剤ドット２を第１のライニングシート１に塗布することも可能である。転写シート２１は、接着剤ドット２が付着したシリコン紙製の剥離シート２１を備えている。転写シート２１は、平行してストリップ状に適用することができ、転写シート２１の除去は、例えば、ヘアドライヤーを使用することにより、熱の存在下で行われる。あるいは、転写シートは、他の任意の都合のよいサイズを有することができる。
【００２７】
図１ｂは、取り付けられた第１のライニングシート１の縁部分と接触するように配置された接着剤ドット２をカバーテープ４で覆うステップを示している。
【００２８】
図１ｃは、第１のライニングシート１が接着剤ドット２を介して内面１０に固定されるように、第１のライニングシート１を内面１０に取り付けるステップを示している。カバーテープ４と重なる第１のライニングシート１の縁部分は、まだ内面１０に固定されていない。
【００２９】
図１ｄは、第２のライニングシート１を、第１のライニングシート１に隣接する内面１０に同様に取り付けるステップを示している。第２のライニングシート１は、第１のライニングシート１に隣接する内面１０に少なくとも部分的に取り付けられる。第１および第２のライニングシートの縁は部分的に重なり合う。
【００３０】
図１ｅは、ライニング１の縁部分の上部にマーカーテープ５を貼り付けることを示している。マーカーテープ５は、それに沿って切断が実行される切断ラインを示す。実際の切断は、例えば、その縁の１つに沿って行うことができる。内部天井が穿孔のある音響パネルでできている場合、好ましくは、穿孔音響パネルの隣接する穿孔に接するブリッジ部分に沿って切断が行われる。切断は、カバーテープ４の中央で、またはその縁の１つに沿って行うことができる。
【００３１】
図１ｆは、第１のライニングシート１と重なる第２のライニングシート１を１回の切断で同時に切断するステップを示している。図１ｇは、切断後のカバーテープ４の除去を示し、本図では、カバーテープ４は、ライニングの縁の間から半分引き出されている。カバーテープ４が取り除かれた後、ライニングの縁は、前に覆われていた接着剤ドットに取り付けられる。
【００３２】
図１ｈは、切断およびカバーテープの除去後のライニングの隣接するストリップが取り付けられた部屋の天井１０を示している。
【００３３】
図２では、複数のライニング１が取り付けられた部屋の天井１０が示されている。部屋は、そのような部屋のライニングの配置を例示するために、窓１１およびドア１２を有する。
【図１ａ】
2021533284.tif 000003
【図１ｂ】
2021533284.tif 000004
【図１ｃ】
2021533284.tif 000005
【図１ｄ】
2021533284.tif 000006
【図１ｅ】
2021533284.tif 000007
【図１ｆ】
2021533284.tif 000008
【図１ｇ】
2021533284.tif 000009
【図１ｈ】
2021533284.tif 000010
【図２】
2021533284.tif 000011
【国際調査報告】
2021533284.tif 000012
2021533284.tif 000013